(57)【特許請求の範囲】
【請求項１】
複数種のカードと接続するために前記複数種のカードそれぞれに対応した接続点と、
前記接続点と前記カードの制御をするカード制御部とを接続する信号バスと、を有し、
１種のカードが接続する際、他のカードのための接続点に接続された信号バスを前記接続点から電気的に切り離すカードアクセス装置であって、
他のカードのための接続点に接続された信号バスを前記接続点から電気的に切り離すために、アイソレータが設けられており、
前記の１種のカードが接続点に接続時には、前記の他のカードのための接続点と繋がる信号バスに設けられているアイソレータが、オープン状態であり、
前記の１種のカードが接続点に未接続時には、前記の他のカードのための接続点と繋がる信号バスに設けられているアイソレータが、閉じられた状態となり、
更に、前記の１種のカードの外装部が絶縁コートの施されたメタルプレートで構成されており、前記の１種のカードを前記接続点に接続した時に他のカードのための接続点に短絡が生じるその接続点と繋がる信号バスに、前記アイソレータが設けられている、カードアクセス装置。
【請求項２】
複数種のカードと接続するために前記複数種のカードそれぞれに対応した接続点と、
前記接続点と前記カードの制御をするカード制御部とを接続する信号バスと、を有し、
１種のカードが接続する際、他のカードのための接続点に接続された信号バスを前記接続点から電気的に切り離すカードアクセス装置であって、
他のカードのための接続点に接続された信号バスを前記接続点から電気的に切り離すために、アイソレータが設けられており、
前記の１種のカードが接続点に接続時には、前記の他のカードのための接続点と繋がる信号バスに設けられているアイソレータが、オープン状態であり、
前記の１種のカードが接続点に未接続時には、前記の他のカードのための接続点と繋がる信号バスに設けられているアイソレータが、閉じられた状態となり、
更に、前記の１種のカードは接続手段により前記接続点に接続するのであり且つその接続手段外装部が絶縁コートの施されたメタルプレートで構成されており、
前記の１種のカードおよび前記接続手段を前記接続点に接続した時、他のカードのための接続点に短絡が生じるその接続点と繋がる信号バスに、前記アイソレータが設けられている、カードアクセス装置。
【請求項３】
上記信号バスには、各々のカードの検出信号バスが含まれており、
個々のカードの検出信号がカード未検出状態の信号であれば、
そのカードのための信号バスに前記アイソレータが設けられている場合、
そのアイソレータがオープン状態とされる請求項１又は請求項２に記載のカードアクセス装置。
【請求項４】
個々のカードの検出信号がカード検出状態の信号であれば、
そのカードのための信号バスに前記アイソレータが設けられている場合、
そのアイソレータが閉じられる状態となる請求項３に記載のカードアクセス装置。
【請求項５】
前記のアイソレータが設けられている信号バスが、パワー回路信号である場合、
前記カード制御部が、その信号バスに係るカードの検出信号にて、カード検出状態からカード未検出状態への移行を検出したとき、
パワー回路及びアイソレータを制御して、所定のアクセス期間を確保し、
前記の検出信号バスに係るカードと、カード制御部及び接続点との間での、アクセス漏れを回避する請求項４に記載のカードアクセス装置。
【請求項６】
前記のアイソレータが設けられている信号バスが、パワー回路信号である場合、
前記カード制御部が、その信号バスに係るカードの検出信号にて、カード検出状態からカード未検出状態への移行を検出したとき、
パワー回路をアクセス不可となるように制御し、
前記の検出信号バスに係るカードとカード制御部及び接続点との間でのアクセス漏れを回避する請求項４に記載のカードアクセス装置。
【請求項７】
上記の一つ又は複数のアイソレータが、カード制御部とは、別の回路で形成されている請求項１又は請求項２に記載のカードアクセス装置。
【請求項８】
上記の一つ又は複数のアイソレータが、カード制御部の内部に集積されて形成されている請求項１又は請求項２に記載のカードアクセス装置。
【請求項９】
請求項１乃至請求項８のうちのいずれか一つに記載のカードアクセス装置を搭載することを特徴とする電子機器。
【発明の詳細な説明】
【技術分野】
【０００１】
本発明は、パーソナルコンピュータやデジタルカメラなどの記憶媒体として利用されるメモリカードのためのアクセス装置及びそのアクセス装置を搭載する電子機器に関する。
【背景技術】
【０００２】
パーソナルコンピュータやデジタルカメラなどの記憶媒体として、様々な小型メモリカードが現在利用されている。代表的なものとして、メモリースティック（ＭｅｍｏｒｙＳｔｉｃｋ（登録商標）；以下、「ＭＳ」と言う。）、エスディカード（ＳＤ  Ｃａｒｄ（登録商標）；以下、「ＳＤ」と言う。）、エックスディピクチャーカード（ｘＤ−Ｐｉｃｔｕｒｅ  Ｃａｒｄ（登録商標）；以下、「ｘＤ」と言う。）などが挙げられる。
【０００３】
小型メモリカードを利用する際のコネクタとして、上記のような複数種類のカードに対応する複合コネクタ（Ｃｏｍｂｏ  Ｃｏｎｎｅｃｔｏｒ）がある。図１に示すコネクタ２８は、複合コネクタの一例（ＭＳ／ＳＤ／ｘＤ複合コネクタ）であり、この複合コネクタに対して、ＭＳ、ＳＤ、ｘＤが選択的に接続される。
【０００４】
一方、ＭＳを更に小型化した“ＭＳ  Ｄｕｏ”なるカードが規格化・実用化されており、このＭＳ  Ｄｕｏに対応して“ＭＳ  Ｄｕｏアダプタ”が提供されている。ＭＳ  ＤｕｏをＭＳ  Ｄｕｏアダプタ内に挿入し、該アダプタをＭＳ／ＳＤ／ＸＤ複合コネクタ２８に接続すれば、パソコン等にてＭＳ  Ｄｕｏを小型メモリカードとして利用できる。
【０００５】
図２は、ＭＳ  Ｄｕｏアダプタ１０の表面図（１）と裏面図（２）である。ＭＳ  Ｄｕｏアダプタ１０の先端には、接続端子１８が設けてある。図から明白ではないが、該アダプタ１０は、所定の厚みを持ち且つスロット１２となっている。そのスロット１２の中にＭＳ  Ｄｕｏが挿入・設置される。
【０００６】
図２に示されるＭＳ  Ｄｕｏアダプタ１０は、表面の大部分と裏面の一部が、絶縁被膜が施された金属プレートで形成されている。図２では絶縁皮膜が施された金属プレートは、符号１４により示されている。図２の金属プレートは、絶縁コートされたアルミニウム合金のメタルプレートで形成されている。
【０００７】
ところで、ＭＳ  Ｄｕｏアダプタ１０がＭＳ／ＳＤ／ｘＤ複合コネクタ２８に対して挿入される場合、ＭＳ  Ｄｕｏアダプタ１０のメタルプレート部分が複合コネクタ２８のスロット１２の内側面と擦れてしまうことがある。そうすると、ＭＳ  Ｄｕｏアダプタ１０がＭＳ／ＳＤ／ｘＤ複合コネクタ２８に対して繰り返し挿入されると、アダプタ１０のメタルプレート１４の絶縁コートが部分的に摩耗し剥がれてしまうことがある。
【０００８】
図１は、ＭＳ／ＳＤ／ｘＤ複合コネクタ２８に対してメモリカードが接続される様子を示す平面図である。ＭＳ  Ｄｕｏアダプタが接続される様子［図１（１）］、ＳＤが接続される様子［図１（２）］、ｘＤが接続される様子［図１（３）］を、それぞれ模式的に示す。ＭＳ／ＳＤ／ｘＤ複合コネクタ２８はスロット１２が一つしか無く、同時に１種類のカードしか使用できない構造になっている。
【０００９】
ＭＳ／ＳＤ／ｘＤ複合コネクタ２８は、一つのカード挿入部にＭＳのためのターミナル（ＭＳターミナル２２）、ＳＤのためのターミナル（ＳＤターミナル２４）、ｘＤのためのターミナル（ｘＤターミナル２６）を備えている。したがってＭＳ／ＳＤ／ｘＤ複合コネクタ２８に対して、上記のようなメタルプレート１４の絶縁コートが剥げたＭＳ  Ｄｕｏアダプタ１０が挿入されると、その剥げて導体が露出した部位と、ＳＤターミナル２４やｘＤターミナル２６（の一部）とが接触してしまうことが生じ得る。その結果、アダプタ１０の導体露出部とターミナル２４、２６が接触すると、パソコン等に正常でない動作が生じ得る。
【００１０】
例えば、ＳＤターミナル２４のうち、メタルプレート１４と接し得る部位は、データに係る端子（ＳＤＣＤＡＴ１、ＳＤＣＤＡＴ２）が設けられるため、データに係る端子とメタルプレート１４との間でショートが生じると、ＭＳのデータに係る端子においても正常でない動作が生じ、メモリカードが正常動作しない。また、例えば、ｘＤターミナルのうち、メタルプレート１４と接し得る部位には、パワー回路やグラウンドに関する端子（ｘＤ  Ｐｏｗｅｒ、ｘＤ  ＧＮＤ）が設けられており、パワー回路やグラウンドに関する端子とメタルプレート１４との間でショートが生じると、システム全体に対して致命的な影響を与えてしまう。
【００１１】
ところで、複数のメディアを取り扱う装置として種々の形態のものが提案されているが、特許文献１の発明は、複数メディアを対象とするデータ処理装置に関するものであり、ＳＭ（スマートメディア）カードに外力が作用する危険性を低下させるものに過ぎない。また、特許文献２の発明は、メモリーカードリード／ライト装置に関するが、電源立下りまでにＣＦカード／ＳＭカードが抜き取られるのを防止することを目的にする発明に過ぎない。さらに、特許文献３の発明は、パッシブフラッシュメディアアダプタシステムに関するが、パッシブアダプターによる各メディア認識、アクセス方法に係る発明に過ぎない。
【特許文献１】特開２００３−４４７９５公報
【特許文献２】特開２００３−４４７９６公報
【特許文献３】特開２００３−１７８２６９公報
【発明の開示】
【発明が解決しようとする課題】
【００１２】
本発明は、ショートなどの障害を生じることなく、パソコンやデジタルカメラ等が複数のメモリカードと選択的にデータアクセスできるカードアクセス装置及び電子機器を提供することを目的とする。
【課題を解決するための手段】
【００１３】
本発明は上記の目的を達成するためになされたものである。本発明に係る請求項１に記載のカードアクセス装置は、
複数種のカードと接続するために前記複数種のカードそれぞれに対応した接続点と、
前記接続点と前記カードの制御をするカード制御部とを接続する信号バスと、を有し、
１種のカードが接続する際、他のカードのための接続点に接続された信号バスを前記接続点から電気的に切り離すカードアクセス装置であって、
他のカードのための接続点に接続された信号バスを前記接続点から電気的に切り離すために、アイソレータが設けられており、
前記の１種のカードが接続点に接続時には、前記の他のカードのための接続点と繋がる信号バスに設けられているアイソレータが、オープン状態であり、
前記の１種のカードが接続点に未接続時には、前記の他のカードのための接続点と繋がる信号バスに設けられているアイソレータが、閉じられた状態となり、
更に、前記の１種のカードの外装部が絶縁コートの施されたメタルプレートで構成されており、前記の１種のカードを前記接続点に接続した時に他のカードのための接続点に短絡が生じるその接続点と繋がる信号バスに、前記アイソレータが設けられている、カードアクセス装置である。
【００１４】
本発明に係る請求項２に記載のカードアクセス装置は、
複数種のカードと接続するために前記複数種のカードそれぞれに対応した接続点と、
前記接続点と前記カードの制御をするカード制御部とを接続する信号バスと、を有し、
１種のカードが接続する際、他のカードのための接続点に接続された信号バスを前記接続点から電気的に切り離すカードアクセス装置であって、
他のカードのための接続点に接続された信号バスを前記接続点から電気的に切り離すために、アイソレータが設けられており、
前記の１種のカードが接続点に接続時には、前記の他のカードのための接続点と繋がる信号バスに設けられているアイソレータが、オープン状態であり、
前記の１種のカードが接続点に未接続時には、前記の他のカードのための接続点と繋がる信号バスに設けられているアイソレータが、閉じられた状態となり、
更に、前記の１種のカードは接続手段により前記接続点に接続するのであり且つその接続手段外装部が絶縁コートの施されたメタルプレートで構成されており、
前記の１種のカードおよび前記接続手段を前記接続点に接続した時、他のカードのための接続点に短絡が生じるその接続点と繋がる信号バスに、前記アイソレータが設けられている、カードアクセス装置である。
【００１５】
本発明に係る請求項３に記載のカードアクセス装置は、
上記信号バスには、各々のカードの検出信号バスが含まれており、
個々のカードの検出信号がカード未検出状態の信号であれば、
そのカードのための信号バスに前記アイソレータが設けられている場合、
そのアイソレータがオープン状態とされる請求項１又は請求項２に記載のカードアクセス装置である。
【００１６】
本発明に係る請求項４に記載のカードアクセス装置は、
個々のカードの検出信号がカード検出状態の信号であれば、
そのカードのための信号バスに前記アイソレータが設けられている場合、
そのアイソレータが閉じられる状態となる請求項３に記載のカードアクセス装置である。
【００１７】
本発明に係る請求項５に記載のカードアクセ氏装置は、
前記のアイソレータが設けられている信号バスが、パワー回路信号である場合、
前記カード制御部が、その信号バスに係るカードの検出信号にて、カード検出状態からカード未検出状態への移行を検出したとき、
パワー回路及びアイソレータを制御して、所定のアクセス期間を確保し、
前記の検出信号バスに係るカードと、カード制御部及び接続点との間での、アクセス漏れを回避する請求項４に記載のカードアクセス装置である。
【００１８】
本発明に係る請求項６に記載のカードアクセス装置は、
前記のアイソレータが設けられている信号バスが、パワー回路信号である場合、
前記カード制御部が、その信号バスに係るカードの検出信号にて、カード検出状態からカード未検出状態への移行を検出したとき、
パワー回路をアクセス不可となるように制御し、
前記の検出信号バスに係るカードとカード制御部及び接続点との間でのアクセス漏れを回避する請求項４に記載のカードアクセス装置である。
【００１９】
本発明に係る請求項７に記載のカードアクセス装置は、
上記の一つ又は複数のアイソレータが、カード制御部とは、別の回路で形成されている請求項１又は請求項２に記載のカードアクセス装置である。
【００２０】
本発明に係る請求項８に記載のカードアクセス装置は、
上記の一つ又は複数のアイソレータが、カード制御部の内部に集積されて形成されている請求項１又は請求項２に記載のカードアクセス装置である。
【００２１】
本発明に係る請求項９に記載の電子機器は、
請求項１乃至請求項８のうちのいずれか一つに記載のカードアクセス装置を搭載することを特徴とする電子機器である。
【発明の効果】
【００２５】
本発明を利用することにより、以下のような効果を得られる。
【００２６】
カードアクセス装置の接続点に対して１種のカードを接続する際、他のカードのための接続点に接続された信号バスが絶縁されるため、ショートなどの障害の発生が未然に防がれる。
【発明を実施するための最良の形態】
【００２７】
以下、図面を参照して本発明に係る好適な実施形態を説明する。
【００２８】
≪好適な実施形態≫
図３は、本発明の好適な実施形態に係る小型メモリカードコネクタ３、小型メモリカードコントローラ１、及びバス接続の概略の模式図である。
【００２９】
小型メモリカードコネクタ３には、図１と同様に、ＳＤ、ＭＳ、ｘＤが挿入される。なお図３では、説明の便宜上、ＳＤ、ＭＳ及びｘＤの３つのカードを並列して示しているが、この小型メモリカードコネクタ３に対して同時に一つのカードしか接続しない。
【００３０】
ＭＳ  Ｄｕｏアダプタ１０を利用すれば、ＭＳ  Ｄｕｏも、図３の小型メモリカードコネクタ３に接続される。小型メモリカードコントローラ１は、小型メモリカードへのアクセスを制御する装置である。
【００３１】
コネクタ３には、各小型メモリカード４の挿入を検出するカード検出信号を生成するピン（バス）が設けられている。カード検出信号は、夫々の小型メモリカード４が挿入されると、「カード検出」の状態となる（つまり、カード検出信号が、アサートされる）。カード検出信号のバスは、ＭＳではＭＳＣＤ＃、ＳＤではＳＤＣＤ＃、ｘＤではｘＤＣＤ＃である。一方、小型メモリカードコントローラ１の外部には、パワー回路（ＰｏｗｅｒＳＷ）２が設けられている。上記のカード検出信号のいずれかがアサートされると、小型メモリカードコントローラ１がカード検出信号のアサートを検知し、小型メモリカードコントローラ１はパワー回路２に対して小型メモリカード４に給電するように制御する。
【００３２】
本発明の好適な実施形態では、仮にメタルプレート１４の絶縁コートが剥げたＭＳ  Ｄｕｏアダプタ１０がコネクタ３に挿入されると、ショートが生じる可能性のある信号バスに、アイソレータ５が設定される。図３の信号バスのうち、ＳＤのデータ信号バス（ＳＤＣＤＡＴ１、ＳＤＣＤＡＴ２の信号バス）がメタルプレート１４（の導体露出部分）と接触（ショート）しうるため、ＳＤのデータ信号バスにアイソレータ５が設けられている。同様に、ｘＤのパワー回路信号バス（ｘＤ  Ｐｏｗｅｒ、ｘＤ  ＧＮＤの信号バス）がメタルプレート１４（の導体露出部分）と接触（ショート）しうるため、ｘＤのパワー回路信号バスにアイソレータ５が設けられている。これらのアイソレータ５は、各小型メモリカードのカード検出信号により開閉が制御される。従って、アイソレータ５は、例えば、アナログスイッチ回路であればよく、図３で「ＳＷ」と示されている。
【００３３】
図３のコネクタ３及びコントローラ１において、いずれの小型メモリカード４も挿入されていない場合、アイソレータ（ＳＷ）５はオープン状態となっている。コネクタ３に対して、ＭＳ  Ｄｕｏアダプタ１０（若しくはＭＳ）が差し込まれても、上記の２つのアイソレータ（ＳＷ）５はオープン状態のままとなっている。２つのアイソレータ（ＳＷ）５がオープン状態のままであるため、コネクタにおけるＳＤターミナル２４やｘＤターミナル２６と、ＭＳ  Ｄｕｏアダプタ１０のメタルプレート１４との間のショートは発生しない。
【００３４】
上記のコネクタ３にＳＤが差し込まれ、ＳＤのカード検出信号が検知された時点で、ＳＤの信号のうちＭＳ  Ｄｕｏアダプタ１０のメタルプレート１４とショートする可能性のある信号バス（図３では、ＳＤのデータ信号バスのＳＤＣＤＡＴ１とＳＤＣＤＡＴ２）のアイソレータ（ＳＷ）５が閉じられるよう制御される。また、ＳＤが抜かれるとアイソレータ（ＳＷ）５が、オープンになるよう制御される。
【００３５】
上記のコネクタ３にｘＤが差し込まれ、ｘＤのカード検出信号が検知された時点で、ｘＤの信号のうちＭＳ  Ｄｕｏアダプタ１０のメタルプレート１４とショートする可能性のある信号バス（図３では、ｘＤのパワー回路信号バスのｘＤ  ＰｏｗｅｒとｘＤ  ＧＮＤ）のアイソレータ（ＳＷ）５が閉じられるよう制御される。また、ｘＤが抜かれるとアイソレータ（ＳＷ）５が、オープンになるよう制御される。
【００３６】
図４は、小型メモリカード４が図３の複合コネクタ３に挿入され、適切なアクセスが実現されるまでを示すフロー図である。小型メモリカード挿入からアクセスまでの流れを説明する。
【００３７】
小型メモリカード４が挿入されると（Ｓ０２）、カード検出信号が生成される（Ｓ０４）。このとき、ＭＳＣＤ＃、ＳＤＣＤ＃、若しくはｘＤＣＤ＃のいずれかのカード検出信号が、「Ｈ」から「Ｌ」になる。
【００３８】
小型メモリカードコントローラ１において、先ず、挿入されたカードがＭＳか否かがアサートされたカード検出信号により判断される（Ｓ０６）。アサートされたカード検出信号が「ＭＳＣＤ＃」であるならば、小型メモリカードコントローラ１からＭＳに対するアクセスが開始される（Ｓ０８）。
【００３９】
アサートされたカード検出信号が「ＭＳＣＤ＃」でないならば、アサートされたカード検出信号が「ＳＤＣＤ＃」であるか否か、つまり挿入されたカードがＳＤであるか否かが、小型メモリカードコントローラ１にて判断される（Ｓ１０）。アサートされた検出信号が「ＳＤＣＤ＃」であるならば、ＳＤのデータ信号バスにおけるアイソレータ（ＳＷ）５が閉じられ（Ｓ１２）、小型メモリカードコントローラ１からＳＤに対するアクセスが開始される（Ｓ１４）。
【００４０】
アサートされたカード検出信号が「ＳＤＣＤ＃」でもないならば、アサートされたカード検出信号が「ｘＤＣＤ＃」であるか否か、つまり挿入されたカードがｘＤであるか否かが、小型メモリカードコントローラ１にて判断される（Ｓ１６）。アサートされたカード検出信号カードが「ｘＤＣＤ＃」であるならば、ｘＤのパワー回路信号バスにおけるアイソレータ（ＳＷ）５が閉じられ（Ｓ１８）、小型メモリカードコントローラ１からｘＤに対するアクセスが開始される（Ｓ２０）。アサートされたカード検出信号が「ｘＤＣＤ＃」でもないならば、小型メモリカードコントローラ１はエラー処理を行う（Ｓ２２）。エラー処理では、例えば、小型メモリカードコントローラ１があらゆるアクセスを拒絶する。
【００４１】
以上で図４の説明を終了する。
【００４２】
図５は、小型メモリカードが複合コネクタ３から抜き取られる際の、カード検出信号及びカード用電圧（パワー回路信号：Ｖｃｃ）の変化を模式的に示す。図５（１）は、従来技術のカード検出信号及びカード用電圧の変化の例である。この図は、Ａの時点でカードが抜き取られ、ＣＤ＃（カード検出信号）が“Ｌ”から“Ｈ”に移行していることを示している。ところで、実際には、ＣＤ＃（カード検出信号）に変化が生じても（ＬからＨになっても）、小型メモリカード４と、小型メモリカードコントローラ１若しくは複合コネクタ３との間で、チャタリング（即ち、余分な接続）が生じることが多い。従って、小型メモリカードコントローラ１にはチャタリング防止カウンタが設けられ、チャタリング防止カウンタによりＣＤ＃（カード検出信号）変化発生後（僅かだが）所定の期間、カード用電圧（パワー回路信号：Ｖｃｃ）はアクセス許可の状態に設定される。
【００４３】
ところで、本発明では、小型メモリカード４が特にｘＤの場合、カード検出信号ｘＤＣＤ＃が“Ｌ”から“Ｈ”に移行すると、直接にパワー回路信号バス上のアイソレータ（ＳＷ）５が開かれるように構成されている。従って、上記のチャタリング防止カウンタによるカード用電圧（パワー回路信号：Ｖｃｃ）における「アクセス許可」期間の設定が、カード用電圧（Ｖｃｃ）の変化にて考慮されなければならない。図５（２）（ア）のように、小型メモリカードコントローラ１が、カード検出信号ｘＤＣＤ＃の“Ｌ”から“Ｈ”への移行を検出しても、パワー回路２及びアイソレータ（ＳＷ）５を制御して、図５（２）（イ）のように「アクセス期間」を確保するようにしている。図５（２）（イ）は、本発明におけるカード検出信号及びカード用電圧の変化を模式的に示す。
【００４４】
また、本発明において、図５（３）のように対処してもよい。本発明のカードアクセス装置は、カード検出信号ｘＤＣＤ＃が“Ｌ”から“Ｈ”となれば、直接にパワー回路信号バス上のアイソレータ（ＳＷ）５が開かれるように構成されている。よって、小型メモリカードコントローラ１が、カード検出信号ｘＤＣＤ＃が“Ｌ”から“Ｈ”となることを検出すれば、カード用電圧（パワー回路信号：Ｖｃｃ）を図５（３）（イ）のように即座に「アクセス不可」となるように制御すればよい。図５（３）（イ）も、本発明におけるカード検出信号及びカード用電圧の変化を模式的に示す。
【００４５】
≪その他の実施形態≫
以上の説明では、複合コネクタは、ＭＳ、ＳＤ、ｘＤ、及びＭＳ  Ｄｕｏアダプタを接続できるものであるとしている。もちろん本発明は、他の小型メモリカードを接続するコネクタ（及びアクセス装置）においても利用され得るし、これらの一部を接続し得ないコネクタ（及びアクセス装置）においても利用され得る。
【００４６】
また、以上の説明では、信号バスを開閉するための手段として、アナログスイッチ回路などのアイソレータを設けた。信号バスを開閉する手段は、アナログスイッチ回路に限定されるものではなく、信号バスを絶縁でき且つ接続できるものであればよい。
【００４７】
上記で説明した、複合コネクタ３、小型メモリカードコントローラ１、パワー回路２、アイソレータ５及び信号バスなどは、パーソナルコンピュータなどの電子機器に設けられることが想定され得る。即ち、例えば、パーソナルコンピュータであれば、複合コネクタが入出力端子の一つとしてパソコン筐体の側部に設けられ、小型メモリカードコントローラは集積化されてパソコン筐体内部に設けられ、更にパソコン筐体内部に信号バスやパワー回路やアイソレータが設けられることになる。
【図面の簡単な説明】
【００４８】
【図１】小型メモリカードのためのコネクタの概略図（平面透視図）である。
【図２】ＭＳ  Ｄｕｏアダプタの表面図（１）と裏面図（２）である。
【図３】本発明の好適な実施形態に係る小型メモリカードコネクタ、小型メモリカードコントローラ、及びバス接続の概略の模式図である。
【図４】小型メモリカードが図３の複合コネクタに挿入され、適切なアクセスが実現されるまでを示す、フロー図である。
【図５】小型メモリカードが複合コネクタから抜き取られる際の、カード検出信号及びカード用電圧（パワー回路信号：Ｖｃｃ）の遷移を模式的に示す。
【符号の説明】
【００４９】
１・・・小型メモリカードコントローラ、２・・・パワー回路、３・・・小型メモリカード複合コネクタ、４・・・小型メモリカード、５・・・アイソレータ（ＳＷ）、１０・・・ＭＳ  Ｄｕｏアダプタ、１４・・・メタルプレート
【図１】
0004676163.tif 000002
【図２】
0004676163.tif 000003
【図３】
0004676163.tif 000004
【図４】
0004676163.tif 000005
【図５】
0004676163.tif 000006